(57)【要約】      （修正有）【課題】締付トルクの増減を視覚で使用者に報知できるだけではなく、聴覚によっても締付トルクの段階を明確にわかり易く報知できる報知機能付きトルクレンチを提供する。【解決手段】トルク検出センサー１からの信号を受けて締付トルクをデジタルで表示する表示部２と、締付トルクの増減に応じて変化量を表示部２に視覚で表示する画像制御部３とを備える。また上記のトルク検出センサー１からの信号を受けて締付トルクの変化量を音階で段階をおって報知する音制御部８を備えて形成する。【選択図】図１
0003208467.tif 000002
【実用新案登録請求の範囲】
【請求項１】
トルク検出センサーからの信号を受けて締付トルクをデジタルで表示する表示部と、締付トルクの増減に応じて変化量を表示部に視覚で表示する画像制御部とを備えて形成されているトルクレンチであって、上記のトルク検出センサーからの信号を受けて締付トルクの変化量を音階で段階をおって報知する音制御部を備えて形成されていることを特徴とする報知機能付きトルクレンチ。
【請求項２】
請求項１記載の報知機能付きトルクレンチであって、締付トルクの増加の段階に応じて音量が大きくなるようスピーカに音声信号を出力する音声増幅回路を備えて構成されていることを特徴とする報知機能付きトルクレンチ。
【請求項３】
請求項１又は２記載の報知機能付きトルクレンチであって、音階が、ド・レ・ミ・ファ・ソ・ラ・シの七音音階に設定されていることを特徴とする報知機能付きトルクレンチ。
【考案の詳細な説明】
【技術分野】
【０００１】
本考案は、トルクレンチに関し、更に詳しくは締め付け状態を視覚だけではなく、聴覚によっても使用者に報知できるよう形成した報知機能付きトルクレンチに関するものである。
【背景技術】
【０００２】
従来、この種のトルクレンチとしては、例えば特許文献１に記載されているものがある。
この従来品は、レンチ本体の回転角度が所定の値に達すると警告信号を発する電子装置を備えて形成されている。
【０００３】
この場合、電子装置は、所定の締付トルク等を記憶する記憶ユニットと、トルクを検出するトルク検出装置と、トルクが所定値に達すると起動し、レンチ本体の回転角度を検出する角速度検出チップと、上記の回転角度が所定の値に達すると警告信号を発する警告装置とを備えて構成されている。
【０００４】
而して、この種の従来品において、例えば「ピッ」、「ピッ」等の電子音を報知し、締付トルクの増加に応じて音量を大きく（高く）するのでは、設定トルク値に対して、現在の締付トルクがどの段階にあるのか、明確に認識しにくいものである。
従って、この種の従来品を使用すると、設定トルク値を超えてネジ等を締め付けることがあり、その結果、使い勝手が悪い、という問題点があった。
【０００５】
また従来、締め付け状態を視覚で報知するトルクレンチも知られている。この種のレンチは、トルク検出センサーからの信号を受けて締付トルクをデジタルで表示する表示部と、締付トルクの増減に応じて変化量を表示部に棒グラフ等の視覚で表示する画像制御部とを備えて形成されている。
【０００６】
而して、締付トルクを視覚で表示するこの種の従来品は、例えば使用者の立ち位置（作業位置）や、暗がりでは、表示部を視認しにくい、という問題点があった。
【先行技術文献】
【特許文献】
【０００７】
【特許文献１】特開２０１０−１７９４５１号公報
【考案の概要】
【考案が解決しようとする課題】
【０００８】
本考案は、このような従来品の問題点に鑑み、提案されたものである。
従って、本考案が解決しようとする技術的課題は、締付トルクの増減を視覚で使用者に報知できるだけではなく、聴覚によっても締付トルクの段階を明確にわかり易く報知できるよう形成した報知機能付きトルクレンチを提供することにある。
【課題を解決するための手段】
【０００９】
本考案は、上記の課題を解決するため、次のような技術的手段を採る。
即ち、本考案のトルクレンチは、図１等に示されるように、トルク検出センサー１からの信号を受けて締付トルクをデジタルで表示する表示部２と、締付トルクの増減に応じて変化量を表示部２に視覚で表示する画像制御部３とを備えて形成されているトルクレンチであって、上記のトルク検出センサー１からの信号を受けて締付トルクの変化量を音階で段階をおって報知する音制御部８を備えて形成されていることを特徴とする（請求項１）。
【００１０】
この場合、本考案は、マイコン等によるプログラムドロジック制御で構成される場合には限られず、ワイヤードロジック制御で構成されるのでも良い。
【００１１】
また本考案は、締付トルクの増加の段階に応じて音量が大きくなるようスピーカ１７に音声信号を出力する音声増幅回路１８を備えて構成されているのが好ましい（請求項２）。
【００１２】
なぜなら、これによると、設定トルク値に対する締め付け状態を、使用者に、より一層、明確に報知でき、その分、注意を喚起できるからである。
【００１３】
また本考案は、音階が、ド・レ・ミ・ファ・ソ・ラ・シの七音音階に設定されているのが好ましい（請求項３）。
【００１４】
なぜなら、ドレミの音階は、西洋人はもとより、日本人にも馴染みが深いため、これによると、締付段階を使用者に、より明確にわかり易くアピールできるからである。
【考案の効果】
【００１５】
本考案は、このようにトルク検出センサーからの信号を受けて締付トルクをデジタルで表示する表示部と、締付トルクの増減に応じて変化量を表示部に視覚で表示する画像制御部とを備えて形成されているトルクレンチであって、上記のトルク検出センサーからの信号を受けて締付トルクの変化量を音階で段階をおって報知する音制御部を備えて形成されている。
【００１６】
従って、本考案は、設定トルク値に対する締め付け状態を、視覚だけではなく、日本人等に馴染み深い音階によっても使用者に報知できる。
それ故、本考案によれば、きめ細かな報知が可能になるから、増し締めを防止でき、ネジやナットを適切に締め付けることができる、という実用上優れた効果を奏する。
【図面の簡単な説明】
【００１７】
【図１】本考案のトルクレンチの構成を示すブロック図である。
【図２】Ａは同上トルクレンチの正面図、Ｂは表示部の要部正面図である。
【図３】同上トルクレンチの作用を説明するためのフローチャートである。
【図４】同上トルクレンチの作用を説明するためのグラフである。
【考案を実施するための形態】
【００１８】
以下、本考案の好適な一実施形態を添付図面に従って説明する。
本考案は、図１等に示されるように、トルク検出センサー１からの信号を受けて締付トルクをデジタルで表示する表示部２と、締付トルクの増減に応じて変化量を表示部２に視覚で表示する画像制御部３とを備えて形成されている。
【００１９】
表示部２は、図２に示されるように、管状のレンチ本体４の胴部に設けられている。表示部２は、７セグメント表示素子を備え、この実施形態では液晶式に形成されている。２ａは、画像表示部である。
【００２０】
また上記の画像制御部３は、この実施形態では締付トルクが増加するに従ってＸ軸の高さが高くなる画像信号を、表示部２に出力するよう構成されている。表示部２は、画像制御部３からの信号を受けると、画像表示部２ａに、画像２ｂを棒グラフ状に表示する。
【００２１】
５は、マイコン等の制御装置である。トルク検出センサー１のアナログ信号は、Ａ/Ｄ変換器６によってデジタル信号に変換され、この制御装置５に送られる。制御装置５は、トルク検出センサー１からの信号を受けて表示部２に桁駆動信号と文字駆動信号とを出力する表示駆動部７や、上記の画像制御部３等を備えて構成されている。
【００２２】
また本考案は、上記のトルク検出センサー１からの信号を受けて締付トルクの変化量を音階で段階をおって報知する音制御部８を備えて形成されている。音階は、この実施形態では、「ド・レ・ミ・ファ・ソ・ラ・シ」の七音音階に設定されている。音階は、音設定部９としてのメモリーに記憶されている。この音設定部９には、音色等も設定可能に形成されている。
【００２３】
音制御部８は、この実施形態では、第１から第７の各判定回路１０〜１６からの信号を受けて、スピーカ１７に、「ド」〜「シ」の各音声信号を出力するよう構成されている。１８は、音声増幅回路である。この実施形態の本考案は、締付トルクの増加の段階に応じて音量が大きくなるよう、音声増幅回路１８から音声信号をスピーカ１７に出力するよう構成されている。
【００２４】
第１判定回路１０は、図３、図４に示されるように、「ド」の音を出す締付トルクに至ったか否かを判定し、「ド」の音を出す締付トルクに至ると、「レ」の音を出す締付トルクに至るまで、音制御部８に「ド」の音を継続的に出力するよう構成されている。そして、第１判定回路１０からの信号を受けて音制御部８がスピーカ１７に音声信号を出力し、これによりスピーカ１７から「ド」の音が報知される。
【００２５】
第２判定回路１１は、「レ」の音を出す締付トルクに至ったか否かを判定し、「レ」の音を出す締付トルクに至ると、「ミ」の音を出す締付トルクに至るまで、音制御部８に「レ」の音を継続的に出力するよう構成されている。そして、第２判定回路１１からの信号を受けて音制御部８がスピーカ１７に音声信号を出力し、これによりスピーカ１７から「レ」の音が報知される。
【００２６】
第３判定回路１２は、「ミ」の音を出す締付トルクに至ったか否かを判定し、「ミ」の音を出す締付トルクに至ると、「ファ」の音を出す締付トルクに至るまで、音制御部８に「ミ」の音を継続的に出力するよう構成されている。そして、第３判定回路１２からの信号を受けて音制御部８がスピーカ１７に音声信号を出力し、これによりスピーカ１７から「ミ」の音が報知される。
【００２７】
第４判定回路１３は、「ファ」の音を出す締付トルクに至ったか否かを判定し、「ファ」の音を出す締付トルクに至ると、「ソ」の音を出す締付トルクに至るまで、音制御部８に「ファ」の音を継続的に出力するよう構成されている。そして、第４判定回路１３からの信号を受けて音制御部８がスピーカ１７に音声信号を出力し、これによりスピーカ１７から「ファ」の音が報知される。
【００２８】
第５判定回路１４は、「ソ」の音を出す締付トルクに至ったか否かを判定し、「ソ」の音を出す締付トルクに至ると、「ラ」の音を出す締付トルクに至るまで、音制御部８に「ソ」の音を継続的に出力するよう構成されている。そして、第５判定回路１４からの信号を受けて音制御部８がスピーカ１７に音声信号を出力し、これによりスピーカ１７から「ソ」の音が報知される。
【００２９】
第６判定回路１５は、「ラ」の音を出す締付トルクに至ったか否かを判定し、「ラ」の音を出す締付トルクに至ると、「シ」の音を出す締付トルクに至るまで、音制御部８に「ラ」の音を継続的に出力するよう構成されている。そして、第６判定回路１５からの信号を受けて音制御部８がスピーカ１７に音声信号を出力し、これによりスピーカ１７から「ラ」の音が報知される。
【００３０】
第７判定回路１６は、「シ」の音を出す締付トルクに至ったか否かを判定し、「シ」の音を出す締付トルクに至ると、１オクターブ上の「ド」の音を出す締付トルクに至るまで、音制御部８に「シ」の音を継続的に出力するよう構成されている。そして、第７判定回路１６からの信号を受けて音制御部８がスピーカ１７に音声信号を出力し、これによりスピーカ１７から「シ」の音が報知される。
【００３１】
なお、この実施形態の本考案は、上記の通り、締付トルクの増加の段階に応じて音量が大きくなるようスピーカ１７に音声信号を出力する音声増幅回路１８を備えて構成されている。
従って、この実施形態では、「ド」、「レ」、「ミ」、「ファ」、「ソ」、「ラ」、「シ」の各音について、音階が上がるに従って、具体的には、例えば「ド」よりも「レ」の方が音量が大きくなるよう、音声増幅回路１８からスピーカ１７に音声信号が出力される。
【００３２】
次に、本考案の作用を説明する。
なお、この実施形態の本考案は、設定トルク値が、１００（Ｎ・ｍ）に選定されている。そして、図４に示されるように、締付トルクが、３０〜９０（Ｎ・ｍ）の範囲で、１０（Ｎ・ｍ）増えるごと、各締付トルクに割り当てられている、「ド」から「シ」の音が報知される。
【００３３】
先ず、図１に示されるように、トルク検出センサー１からの信号を制御装置５が受けると、締付トルクが表示部２に数字と画像２ｂ（図２参照）で表示される。またトルク検出センサー１からの信号を受けて、第１判定回路１０が、「ド」の音を出す締付トルク（この実施形態では、図４に示されるように、３０（Ｎ・ｍ））に至ったか否かを判定する。
【００３４】
そして、３０（Ｎ・ｍ）に至り、その値を上回った状態が継続されると、第１判定回路１０からの信号を受けて音制御部８が、「ド」の音を出す音声信号をスピーカ１７に送る。これにより、スピーカ１７から「ド」の音が報知される。なお、使用者が、レンチ本体４を緩み方向に回し、３０（Ｎ・ｍ）を下回ると、消音する。
【００３５】
次に、使用者がネジを更に締め付けると、第２判定回路１１が、「レ」の音を出す締付トルク（この実施形態では、４０（Ｎ・ｍ））に至ったか否かを判定する。そして、締付トルクが、４０（Ｎ・ｍ）に至り、その値を上回った状態が継続されると、第２判定回路１１からの信号を受けて音制御部８が、「レ」の音を出す音声信号をスピーカ１７に送る。これにより、スピーカ１７から「レ」の音が報知される。なお、締付トルクが４０（Ｎ・ｍ）を下回ると、その下の音階の音がスピーカ１７から報知される。
【００３６】
以後、ネジが締め付けられて締付トルクが増加すると、第３判定回路１２から第７判定回路１６が、各判定回路１２〜１６に割り当てられている「ミ」〜「シ」の音を出すに至ったか否かを判定する。
【００３７】
そして、締付トルクが所定値に至り、その値を上回った状態が継続されると、各判定回路１２〜１６からの信号を受けて音制御部８が、「ミ」〜「シ」の音を出す音声信号をスピーカ１７に送る。これにより、スピーカ１７から各音が報知される。
【００３８】
この実施形態の場合、設定トルク値は、上記の通り、１００（Ｎ・ｍ）に選定され、９０（Ｎ・ｍ）の締付トルクに「シ」の音が割り当てられている。
従って、使用者は、「シ」の音が報知されると、設定トルク値に近づいたことを知ることができるから、これによれば、増し締めを防止できる。
【符号の説明】
【００３９】
１      トルク検出センサー
２      表示部
３      画像制御部
８      音制御部
【図１】
0003208467.tif 000003
【図２】
0003208467.tif 000004
【図３】
0003208467.tif 000005
【図４】
0003208467.tif 000006